(57)【特許請求の範囲】
【請求項１】
ケース内に回動自在に配設され回路遮断器のオン状態とオフ状態とを切り替えるハンドル部材と、
一端をハンドル部材のハンドルリンク取付部に取付けられハンドル部材の回動動作と連動して動作するリンクと、
前記リンクの他端が連結され、該リンクを介して前記ハンドル部材の回動動作と連動して動作する押さえ部材と、
前記押さえ部材を介してハンドルの操作に連動し、オン・オフする接点装置を含み、
接点のオン保持は、前記押さえ部材とリンクの取付部とハンドル部材の回動中心を結ぶ線を死線として、前記ハンドルリンク取付部が死線を超え、更に超える方向への移動を規制して成される回路遮断器において、
前記ハンドル部材の回動軸から前記回路遮断器の分電盤への取り付け面となる前記ケース底面に向かう方向を鉛直方向として、
前記ハンドル部材のオン・オフ操作に関わらず前記死線が前記鉛直方向に固定されるとともに、
前記押さえ部材とリンクの取付部の移動軌跡が前記鉛直方向に固定されるよう規制するガイド部を、
前記ハンドル部材の回動軸の鉛直下方、かつ前記移動軌跡の両側に直線状に配置する一方、
前記ハンドル部材の操作部をケースから突出する開口縁部を、前記死線を中心としてハンドル部材のオン・オフ操作に伴う回転角度を均等に規制する回転角度規制部として設け、
前記ハンドル部材は、前記リンクに対して裏返して取り付けることにより、回路遮断器の電源側と負荷側を結ぶ方向において前記ハンドル部材のオン・オフ操作方向を逆転させられ、
回路遮断器を分電盤に設けられた銅バーに電源側接続端子を相向かい合うように取付けた場合においても、互いの回路遮断器のハンドル操作方向を同一とできることを特徴とした回路遮断器。
【発明の詳細な説明】
【０００１】
【発明の属する技術分野】
本件の発明は回路遮断器に係り、特に電源側接続端子と負荷側接続端子において接続方法が異なるもので、分電盤に設けられた銅バーの両側に電源側接続端子を接続して配設する回路遮断器に関する。
【０００２】
【従来の技術】
従来の回路遮断器は、電源側接続端子と負荷側接続端子において接続方法が異なる場合、分電盤に設けられた銅バーに電源側接続端子側を相向かい合うように取付けてられていた。その場合、図７のようにハンドルのオン操作は、ハンドルを銅バー側に倒して行われるようになっていた。
【０００３】
【発明が解決しようとする課題】
そのため、回路遮断器のハンドルのオン、オフ操作方向は、銅バーを境にして互いに逆になり、回路遮断器が銅バーのどちら側にあるかによりオン、オフ操作方向が異なって、使用者にとっては操作や認識に戸惑いを生じ、その結果、回路遮断器がオンされている回路の電線に誤って触って感電したり、回路に電圧を印加したいのに回路遮断器をオフしてしまうことがあるなどの不便さがあった。
【０００４】
そこで本件の発明の目的とするところは、回路遮断器の電源側接続端子と負荷側接続端子において接続方法が異なっていて、分電盤に設けられた銅バーに電源側接続端子を相向かい合うように取付けた場合においても、互いの回路遮断器のハンドル操作方向を同一とできて、使用者が操作に戸惑ったり誤認する恐れがなくコストの安い回路遮断器を提供することにある。
【０００５】
【課題を解決しようとするための手段】
請求項１は、ケース内に回動自在に配設され回路遮断器のオン状態とオフ状態とを切り替えるハンドル部材と、一端をハンドル部材のハンドルリンク取付部に取付けられハンドル部材の回動動作と連動して動作するリンクと、前記リンクの他端が連結され、該リンクを介して前記ハンドル部材の回動動作と連動して動作する押さえ部材と、前記押さえ部材を介してハンドルの操作に連動し、オン・オフする接点装置を含み、接点のオン保持は、前記押さえ部材とリンクの取付部とハンドル部材の回動中心を結ぶ線を死線として、前記ハンドルリンク取付部が死線を超え、更に超える方向への移動を規制して成される回路遮断器において、前記ハンドル部材の回動軸から前記回路遮断器の分電盤への取り付け面となる前記ケース底面に向かう方向を鉛直方向として、前記ハンドル部材のオン・オフ操作に関わらず前記死線が前記鉛直方向に固定されるとともに、前記押さえ部材とリンクの取付部の移動軌跡が前記鉛直方向に固定されるよう規制するガイド部を、前記ハンドル部材の回動軸の鉛直下方、かつ前記移動軌跡の両側に直線状に配置する一方、前記ハンドル部材の操作部をケースから突出する開口縁部を、前記死線を中心としてハンドル部材のオン・オフ操作に伴う回転角度を均等に規制する回転角度規制部として設け、前記ハンドル部材は、前記リンクに対して裏返して取り付けることにより、回路遮断器の電源側と負荷側を結ぶ方向において前記ハンドル部材のオン・オフ操作方向を逆転させられ、回路遮断器を分電盤に設けられた銅バーに電源側接続端子を相向かい合うように取付けた場合においても、互いの回路遮断器のハンドル操作方向を同一とできることを特徴として回路遮断器を提供したものである。
【０００７】
それにより、同一のハンドルをリンクに対し逆さに取り付けた場合はハンドルのオン操作方向を逆さにできるから、同一の部品を用いて、オン操作方向が異なる２種類の回路遮断器を作り分け可能となる。したがって、分電盤の銅バー側に回路遮断器の電源側端子を接続しても、銅バーの反対側に取り付けられるお互いの回路遮断器は、ハンドルの操作方向を分電盤から見た場合、同一とすることが可能となり、操作する人間が操作方向やオンオフ状態の認識を迷うことがない。また、ハンドルの操作方向を変えた２種類の遮断器は部品を共通化できるのでコストが安くなる。
【０００８】
【発明の実施の形態】
次に本発明の一実施例を図面にて詳細に説明する。図１は回路遮断器がオン状態における内部構造図例を示している。図２は回路遮断器がオフ状態における内部構造を示している。図３はハンドル部材を図１の状態から裏返して設けた場合の回路遮断器のオン状態における内部構造図例を示している。図４はハンドル部材を図２の状態から裏返して設けた場合の回路遮断器のオフ状態における内部構造図例を示している。図５は回路遮断器のハンドル部材を通常に設けた場合、および裏返して設けた場合のオン−オフ状態における動作線図を示している。図６は従来の回路遮断器における動作線図例を示している。図８は本件発明の回路遮断器を使用した分電盤のハンドル操作方向の説明図を示している。
【０００９】
図１において、回路遮断器はケース６内に回動自在に配設され回路遮断器のオン状態とオフ状態とを切り替えるハンドル部材１と、ケース６に設けられた電源側接続端子４と、ケース６に設けられた負荷側接続端子５と、一端をハンドル部材１のハンドルリンク取付部１４に取付けられハンドル部材１の回動動作と連動して動作するリンク７と、前記ハンドル部材１と前記リンク７を介して連結するリンク取付部１０を設けた押さえ部材８と、前記押さえ部材８を介してハンドル１の操作に連動し、オン・オフする接点装置を含み、接点のオン保持は、前記押さえ部材８とリンク７の取付部１０とハンドル１の回動中心を結ぶ線を死線として、前記ハンドルリンク取付部１４が死線を超え、更に超える方向への移動を規制するように、該死線を中心としてハンドル１の回転角度を均等に規制するハンドル回転角度規制部１２、１３と、前記押さえ部材８とリンク７の取付部１０の移動軌跡を前記死線上に規制するガイド１１とを含んで構成されている。
【００１０】
ハンドル部材１はハンドル部材回動軸３を中心としてオン位置オフ位置の間を回動動作し、操作部２はケース６に設けられた開口部９から突出している。
【００１１】
電源側接続端子４と負荷側接続端子５は、本実施例においては電源側接続端子４はプラグイン端子構造としており分電盤の銅バーに接続するのに適した構造を、負荷側接続端子５は速結端子構造としており負荷電線を接続するのに適した構造をしていて、それぞれ接続方法が異なるものとしてある。
【００１２】
ガイド１１は、ハンドル部材１を回動動作させることにより前記押さえ部材８と前記リンク７とを連結するリンク取付部１０の移動軌跡を規制するものであり、規制は移動軌跡が前記死線と一致するようにしている。
【００１３】
回転角度規制部１２、１３は、ハンドル部材１をオン位置に付勢せしめた場合に、ハンドル部材のリンク取付部１４が初期の位置から回動して、ハンドル部材回動軸３とリンク取付部１０を結ぶ死線を超えて、更に移動することを規制するもので、該死線を中心としてハンドル部材１の回転角度が均等になるようハンドル部材の操作部の回動を規制している。
【００１４】
この回転角度規制部１２、１３はハンドル部材１の操作部２を突出させるケース開口部９の縁を利用している。リンク取付部１０はハンドル部材１の回動軸３の下方に直線状に配設されたガイド１１によって、図中下向きに直線的に動作を行う。
【００１５】
回路遮断器をオン状態からオフ状態にする場合には、図１において、ハンドル操作部２を負荷側端子５方向に回動させる。ハンドルリンク取付部１４が初期の位置から回動してハンドル部材回動軸３とリンク取付部１０を結ぶ死線を超えた場合にはリンクのバランスが崩れ、図２に示したように、ハンドル操作部２はオフ位置に付勢される。
【００１６】
このときリンク取付部１０はハンドル部材１の回動軸３の下方に直線状に配設されたガイド１１によって、前記死線上を図中上向きに直線的に移動する。また、ハンドル部材１は回転角度規制部１３により適当な位置で停止するように規制される。
【００１７】
次に、図３は、図１に対してハンドル部材１を反転させてケース６およびリンク７に取り付けた場合で遮断器がオン状態である場合を示したものである。
【００１８】
この場合は図１で前述したようにハンドル部材１を図１に示すようにケース６に配設した場合と比べて、回路遮断器がオン状態においてハンドル操作部２の位置が図の左右で逆転している。また、ハンドル部材１及び前記リンク７の回動動作が適切な位置で停止するようにハンドル回転角度規制部１３がオン側へのハンドル部材１の回動動作を規制する。
【００１９】
次に、図４は、図１に対してハンドル部材１を反転させてケース６に配設した場合の回路遮断器がオフ状態である場合を示したものである。
【００２０】
この場合は、前述したようにハンドル部材１をもとのようにケース６に配設した場合の図２と比べて、回路遮断器がオフ状態においてハンドル操作部２の位置が逆転している。また、ハンドル部材１が適当な位置で停止するようにハンドル回転角度規制部１２が回動動作を規制する。
【００２１】
図４の状態において、回路遮断器をオフ状態からオン状態にする場合には、ハンドル操作部２を負荷側端子５方向に回動させる。ハンドルリンク取付部１４が初期の位置から回動してハンドル部材回動軸３とリンク取付部１０を結ぶ死線を超えた場合にはリンクのバランスが崩れ、ハンドル操作部２はオン位置に付勢される。
【００２２】
このときリンク取付部１０はハンドル部材１の回動軸３の鉛直下方に直線状に配設されたガイド１１によって、図中下向きに直線的に移動する。また、ハンドル部材１が適切な位置で停止するようにハンドル回転角度規制部１３により回動動作を規制される。
【００２３】
次に図３に示す回路遮断器をオン状態からオフ状態にする場合には、ハンドル操作部２を電源側端子４方向に回動させる。ハンドルリンク取付部１４が初期の位置から回動してハンドル部材回動軸３とリンク取付部１０を結ぶ線を超えた場合にはリンクのバランスが崩れ、ハンドル操作部２はオフ位置に付勢される。
【００２４】
このときリンク取付部１０はハンドル部材１の回動軸３の鉛直下方に直線状に配設されたガイド１１によって、図中上向きに直線的に移動する。また、ハンドル部材１が適当な位置で停止するようにハンドル回転角度規制部１２が回動動作を規制する。
【００２５】
図５（ａ）（ｂ）には回路遮断器のハンドル部材１を通常に設けた場合及び反転して設けた場合のオン−オフ状態における動作線図を示しているが、どちらの場合にも、オン状態からオフ状態、オフ状態からオン状態へ変化するときのリンク取付部１０の動作軌跡はガイド１１に沿って図中上下の往復を行い、且つ、リンク取付部１０のオンとオフの位置（図の高さ）及び、オンとオフでのハンドル部材１の回転角度ａは変わらない。
【００２６】
図６（ａ）は、従来の回路遮断器の動作線図例である。従来例ではハンドルリンク取付部１４が前記死線を越えた後移動を規制するためリンク取付部１４の移動を規制する規制部８０１を有していた。規制部８０１は、ハンドル回動軸３と、リンク取付部１０との間に配設されており、また、ガイド８０２は斜めに円弧を描くように形成されている。図６（ｂ）のようにハンドルを反転させてケース６に配設した場合には、規制部８０１がハンドル部材１とリンク７の動作軌跡に干渉してしまい回動動作できず、また、オン側にした時のハンドルリンク取付部１４の移動規制部がなくなり、オン保持できない。また、オフ位置では、ハンドルの回転角度はａ’となって、（ａ）の場合と異なってしまうことになり都合が悪い。したがって、ハンドルを反転させてケース６に配設した場合には、回路遮断器はオン−オフ動作できない。しかしながら、本実施例に示した回路遮断器においては、リンク取付部の移動軌跡を前記死線上に規制するガイド１１と、該死線を中心としてハンドルの回転角度を均等に規制するハンドル回転角度規制部１２、１３を設け、押さえ部材８とリンク取付部１０の移動軌跡が、ハンドル部材を反転して取り付けても、同一となるようにしたことと、接点装置のオン保持は、ハンドルの回転角度を前記押さえ部材とリンク取付部の移動軌跡（死線）に対して均等となるように規制する回転角度規制部でおこなうようにしたので、ハンドルを反転して取り付けても、機構の動作は同一とできる。
【００２７】
それにより、分電盤の銅バーに対し、電源側端子を向かい合わせて取り付けても、図７のように、ハンドルのオン、オフ操作方向が銅バーの両側の回路遮断器で反対となることがなく、それぞれ、電源側接続端子に対してハンドルのオン、オフ操作方向が異なり、図８のように分電盤に対して同一方向とできる２種類の回路遮断器を、同一の部品を用いて、製造時に組み分けするだけで得られる。
【００２８】
なお、ハンドルの回転角度規制部は、請求項２ではハンドル操作部開口縁としたが、例えば、ハンドル部材１の側面に凹をつけて、ケース６から凸起を出して行うことによっても可能である。また，ガイド１１はハンドル部材の回転軸３とリンク取付部１０を結ぶ死線上に完全に一致していなくともよく，多少のずれは容赦される。
【００２９】
【発明の効果】
以上のように、請求項１、２の発明によれば、電源側接続端子と負荷側接続端子において接続方法が異なる場合、分電盤に設けられた取付け母線に電源側接続端子側を相向かい合うように取付けてられた場合においても、回路遮断器をオン状態からオフ状態に変化させるハンドル操作方向が分電盤に対して同一になる、使用者にとって安全性が高い回路遮断器を低コストで提供することができる。
【図面の簡単な説明】
【図１】回路遮断器のハンドル部材を通常に設けた場合のオン状態における内部構造を示している。
【図２】回路遮断器のハンドル部材を通常に設けた場合のオフ状態における内部構造を示している。
【図３】回路遮断器のハンドル部材を反転して設けた場合のオン状態における内部構造を示している。
【図４】回路遮断器のハンドル部材を反転して設けた場合のオフ状態における内部構造を示している。
【図５】回路遮断器のハンドル部材を通常に設けた場合、および反転して設けた場合のオン−オフ状態における動作線図を示している。
【図６】従来の回路遮断器における動作線図例を示している。
【図７】従来の回路遮断器を使用した分電盤のハンドル操作方向の説明図。
【図８】本件発明の回路遮断器を使用した分電盤のハンドル操作方向の説明図。
【符号の説明】
１ ハンドル部材
２ ハンドル操作部
３ ハンドル部材回動軸
４ 電源側端子
５ 負荷側端子
６ ケース
７ リンク
８ 押さえ部材
９ 開口縁部
１０ リンク取付部
１１ ガイド
１２ ハンドル回転角度規制部
１３ ハンドル回転角度規制部
１４ リンク取付部
８０１ 規制部
８０２ ガイド
【図１】
0004607306.tif 000002
【図２】
0004607306.tif 000003
【図３】
0004607306.tif 000004
【図４】
0004607306.tif 000005
【図５】
0004607306.tif 000006
【図６】
0004607306.tif 000007
【図７】
0004607306.tif 000008
【図８】
0004607306.tif 000009